(57)【特許請求の範囲】
【請求項１】
酸素と窒素とを含む原料ガス中の窒素を優先的に吸着する吸着剤を充填した２塔の吸着塔を用いて圧力変動吸着分離法により酸素富化ガスを製品ガスとして回収するガス分離方法であって、
原料供給端から原料ガスが供給されて吸着工程を行っている第１の塔の製品出口端から製品ガスを導出して製品ガス貯槽に供給しながら、該製品ガスの一部を第２の塔の製品出口端から第２の塔内に導入しつつ原料供給端から第２の塔内のガスを放出するパージ排気を行うことにより吸着剤の再生工程を行う第１の工程と、
上記第１の工程終了後の第１の塔と第２の塔とを製品出口端で連通させ、吸着工程を終了して塔内に圧力を保持した第１の塔から再生工程を終了して低い圧力にある第２の塔へガスを回収するとともに、第１の塔の原料供給端から系外へガスを放出する第２の工程と、
上記第２の工程終了後の第１の塔から引続きガスを系外に放出して第１の塔内の圧力を下げることにより、窒素を吸着した吸着剤から窒素ガスを脱着させるとともに、第２の塔においては、製品ガス貯槽に貯えられた製品ガスを第２の塔の製品出口端から導入しながら、同時に原料供給端から原料ガスを供給して塔内の圧力を上昇させる第３の工程と、
上記第３の工程終了後の第１の塔から引続きガスを系外に放出して第１の塔内の圧力を更に下げることにより、窒素を吸着した吸着剤から窒素ガスを脱着させるとともに、第２の塔においては、原料供給端から原料ガスを供給して塔内の圧力を上昇させる第４の工程と、
の各工程を、第１及び第２の吸着塔を順次切換えて連続的に行うことにより、製品ガスを継続して発生することを特徴とするガス分離方法。
【請求項２】
酸素と窒素とを含む原料ガス中の窒素を優先的に吸着する吸着剤を充填した２塔の吸着塔を用いて圧力変動吸着分離法により酸素富化ガスを製品ガスとして回収するガス分離方法であって、
原料供給端から原料ガスが供給されて吸着工程を行っている第１の塔の製品出口端から製品ガスを導出して製品ガス貯槽に供給しながら、該製品ガスの一部を第２の塔の製品出口端から第２の塔内に導入しつつ原料供給端から第２の塔内のガスを放出するパージ排気を行うことにより吸着剤の再生工程を行う第１の工程と、
上記第１の工程終了後の第１の塔と第２の塔とを製品出口端で連通させ、吸着工程を終了して塔内に圧力を保持した第１の塔から再生工程を終了して低い圧力にある第２の塔へガスを回収した後、第１の塔の原料供給端から系外へガスを放出する第２の工程と、
上記第２の工程終了後の第１の塔から引続きガスを系外に放出して第１の塔内の圧力を下げることにより、窒素を吸着した吸着剤から窒素ガスを脱着させるとともに、第２の塔においては、製品ガス貯槽に貯えられた製品ガスを第２の塔の製品出口端から導入しながら、同時に原料供給端から原料ガスを供給して塔内の圧力を上昇させる第３の工程と、
上記第３の工程終了後の第１の塔から引続きガスを系外に放出して第１の塔内の圧力を更に下げることにより、窒素を吸着した吸着剤から窒素ガスを脱着させるとともに、第２の塔においては、原料供給端から原料ガスを供給して塔内の圧力を上昇させる第４の工程と、
の各工程を、第１及び第２の吸着塔を順次切換えて連続的に行うことにより、製品ガスを継続して発生することを特徴とするガス分離方法。
【請求項３】
前記吸着塔への原料ガスの供給量を流量制御手段により制御することを特徴とする請求項１又は２記載のガス分離方法。
【発明の詳細な説明】
【０００１】
【発明の属する技術分野】
本発明は、ガス分離方法に関し、詳しくは、酸素と窒素とを含む原料ガス、特に空気を原料ガスとして窒素を吸着分離することにより、酸素に富むガスを製品ガスとして得る方法に好適に適用できるガス分離方法に関する。
【０００２】
【従来の技術及び発明が解決しようとする課題】
圧力変動吸着式ガス分離方法（ＰＳＡ法）による酸素に富むガスの製造は、例えば、空気等の酸素含有ガスから、酸素以外の成分を優先的に吸着する吸着剤を用いて、酸素を濃縮分離する方法であって、工業的に広く行われている。
【０００３】
ＰＳＡ法は、酸素を含有する原料ガスを相対的に高い圧力で吸着剤と接触させ、主として酸素以外の成分を優先的に吸着させて、比較的吸着し難いガスである酸素を製品ガスとして取出す吸着工程と、主として酸素以外の成分を吸着した吸着剤の雰囲気を吸着圧力より相対的に低い圧力（大気圧あるいは大気圧以下）に減圧し、酸素以外の成分を吸着剤から脱着させて吸着剤を再生する再生工程とを主要な工程として繰返す方法である。一般的には、この吸着工程及び再生工程に、低い圧力にある吸着塔内の圧力を吸着圧力近くまで回復させる加圧工程が追加される。ＰＳＡ法における操作は、このように、２乃至３の主要な工程で成立っているため、複数の吸着塔を用いて製品ガスを連続的に発生することが普通である。
【０００４】
また、ＰＳＡ法により酸素を発生させる場合は、窒素を優先的に吸着する吸着剤として、Ｃａ−Ａ型，Ｎａ−Ｘ型，Ｃａ−Ｘ型、あるいはモルデナイト等のゼオライトが広く使用されている。
【０００５】
上述のようなＰＳＡ法の性能を向上させるため、従来から様々な提案がなされている。例えば、その一つとして、吸着工程終了時の吸着塔内に残る比較的濃縮された製品ガスを、再生工程を終了した吸着塔に回収して製品回収率を向上させる均圧操作がある。特開平５−１９２５２７号公報には、均圧操作を２段階に分け、吸着塔の上部同士を連結して行う均圧と、吸着塔の上部と他の吸着塔の下部とを連結して行う均圧とを連続的に行う方法が開示されている。しかし、そこで示された実施例は、いずれも再生を大気圧で行う、いわゆる大気圧再生法であって、近年広く行われるようになった、いわゆる真空再生法については述べられていない。
【０００６】
また、特開平１−２３６９１４号公報は、真空再生方法に関するものであり、吸着工程終了時に塔内に残留したガスを、主として他の吸着塔の再生工程時にパージガスとして用いる方法を開示している。この方法では、他の吸着塔からのガス回収を短時間行った後、原料ガスの供給と製品ガスの逆戻しとにより再加圧を行うようにしている。しかし、製品ガスを再加圧に使用する場合は、製品ガスの圧力が変動するので、それを防ぐために製品槽の大型化を招くものと推察される。また、原料空気による加圧は、比較的低い圧力にある吸着塔に対して行われるため、空気が急激に流入して不純物成分である窒素が吸着塔の製品出口端方向に流れ込むおそれがある。このような操作は、吸着装置の性能を低下させる要因となる。
【０００７】
ＰＳＡ法の性能を向上させるために、様々な工夫がなされており、それなりの効果はあるが、それらは必ずしも十分に満足できるものではなく、なお一層の改善が強く望まれている。
【０００８】
そこで本発明は、上記事情に鑑み、ＰＳＡ法のプロセスを改善し、ガス分離の効率を向上させること、なかでも、空気を分離して酸素に富むガスを効率よく発生させるのに好適なガス分離方法を提供することを目的としている。
【０００９】
【課題を解決するための手段】
上記目的を達成するため、本発明のガス分離方法における第１の構成は、酸素と窒素とを含む原料ガス中の窒素を優先的に吸着する吸着剤を充填した２塔の吸着塔を用いて圧力変動吸着分離法により酸素富化ガスを製品ガスとして回収するガス分離方法であって、原料供給端から原料ガスが供給されて吸着工程を行っている第１の塔の製品出口端から製品ガスを導出して製品ガス貯槽に供給しながら、該製品ガスの一部を第２の塔の製品出口端から第２の塔内に導入しつつ原料供給端から第２の塔内のガスを放出するパージ排気を行うことにより吸着剤の再生工程を行う第１の工程と、上記第１の工程終了後の第１の塔と第２の塔とを製品出口端で連通させ、吸着工程を終了して塔内に圧力を保持した第１の塔から再生工程を終了して低い圧力にある第２の塔へガスを回収するとともに、第１の塔の原料供給端から系外へガスを放出する第２の工程と、上記第２の工程終了後の第１の塔から引続きガスを系外に放出して第１の塔内の圧力を下げることにより、窒素を吸着した吸着剤から窒素ガスを脱着させるとともに、第２の塔においては、製品ガス貯槽に貯えられた製品ガスを第２の塔の製品出口端から導入しながら、同時に原料供給端から原料ガスを供給して塔内の圧力を上昇させる第３の工程と、上記第３の工程終了後の第１の塔から引続きガスを系外に放出して第１の塔内の圧力を更に下げることにより、窒素を吸着した吸着剤から窒素ガスを脱着させるとともに、第２の塔においては、原料供給端から原料ガスを供給して塔内の圧力を上昇させる第４の工程と、の各工程を、第１及び第２の吸着塔を順次切換えて連続的に行うことにより、製品ガスを継続して発生することを特徴としている。
【００１０】
また、第２の構成は、酸素と窒素とを含む原料ガス中の窒素を優先的に吸着する吸着剤を充填した２塔の吸着塔を用いて圧力変動吸着分離法により酸素富化ガスを製品ガスとして回収するガス分離方法であって、原料供給端から原料ガスが供給されて吸着工程を行っている第１の塔の製品出口端から製品ガスを導出して製品ガス貯槽に供給しながら、該製品ガスの一部を第２の塔の製品出口端から第２の塔内に導入しつつ原料供給端から第２の塔内のガスを放出するパージ排気を行うことにより吸着剤の再生工程を行う第１の工程と、上記第１の工程終了後の第１の塔と第２の塔とを製品出口端で連通させ、吸着工程を終了して塔内に圧力を保持した第１の塔から再生工程を終了して低い圧力にある第２の塔へガスを回収した後、第１の塔の原料供給端から系外へガスを放出する第２の工程と、上記第２の工程終了後の第１の塔から引続きガスを系外に放出して第１の塔内の圧力を下げることにより、窒素を吸着した吸着剤から窒素ガスを脱着させるとともに、第２の塔においては、製品ガス貯槽に貯えられた製品ガスを第２の塔の製品出口端から導入しながら、同時に原料供給端から原料ガスを供給して塔内の圧力を上昇させる第３の工程と、上記第３の工程終了後の第１の塔から引続きガスを系外に放出して第１の塔内の圧力を更に下げることにより、窒素を吸着した吸着剤から窒素ガスを脱着させるとともに、第２の塔においては、原料供給端から原料ガスを供給して塔内の圧力を上昇させる第４の工程と、の各工程を、第１及び第２の吸着塔を順次切換えて連続的に行うことにより、製品ガスを継続して発生することを特徴としている。
【００１１】
また、第３の構成は、上記第１，第２の構成において、前記吸着塔への原料ガスの供給量を流量制御手段により制御することを特徴としている。
【００１２】
【発明の実施の形態】
図１は、本発明のガス分離方法を実施するための圧力変動吸着式ガス分離装置（ＰＳＡ装置）の一例を示す系統図、図２は、本発明の各工程におけるガスの流れを説明するための概念図で、各機器間を接続する矢印線は、矢印の方向にガスが流れていることを示している。
【００１３】
本形態例に示すＰＳＡ装置は、窒素を優先的に吸着する吸着剤を使用し、酸素を含有する混合ガス、具体的には、空気を原料として酸素に富んだガスを製品として得るためのものであって、２塔の吸着塔Ａ，Ｂを所定の工程に従って運転することにより、高い酸素回収率と酸素発生量とを得るものである。各吸着塔Ａ，Ｂには、原料空気中の酸素以外の成分、特に窒素を優先的に吸着する吸着剤として、Ｃａ−Ａ型，Ｎａ−Ｘ型，Ｃａ−Ｘ型，モルデナイト、あるいはこれらに他のイオンを単独又は複数組み合わせて導入したゼオライトが充填されている。両吸着塔の原料供給端には、原料空気圧縮機１から原料空気流量調整弁２を経て供給される原料空気を導入するための入口弁３ａ，３ｂと、塔内のガスを排気するための排気弁４ａ，４ｂとが設けられ、製品出口端には、製品ガスを導出する出口弁５ａ，５ｂと、均圧及びパージの際に塔内にガスを導入するためのパージガス導入弁６ａ，６ｂとが設けられている。
【００１４】
さらに、前記排気弁４ａ，４ｂには、真空ポンプ７と放出弁８とが接続されており、出口弁５ａ，５ｂには、製品ガス貯槽９が接続されるとともに、吸着塔にパージガスを供給するためのパージガス供給弁１０，パージガス流量調整弁１１及び流量計１２を有するパージライン１３が接続されている。また、原料空気圧縮機１にバイパス弁１ａが、製品貯槽９には製品供給弁９ａが設けられており、原料空気流量調整弁２には、制御器１４との間に弁開度制御信号１４ａが接続されている。
【００１５】
次に図２を参照しながら、上記ＰＳＡ装置による本発明方法の第１形態例を説明する。なお、各工程において、記載の無い弁は基本的に閉じた状態になっており、流量調整弁は、特に説明が無い限り所定の開度に開いた状態になっているものとする。また、図２では弁の位置を黒丸で略記する。
【００１６】
まず、工程１は、吸着塔Ａ（第１の塔）が吸着工程を行っており、吸着塔Ｂ（第２の塔）が再生工程最終段階のパージ操作を行っている工程である。吸着工程中の吸着塔Ａでは、原料空気圧縮機１で所定圧力に圧縮された原料空気が原料空気流量調整弁２及び入口弁３ａを経て原料供給端から吸着塔Ａ内に供給され、塔内に充填された吸着剤により原料空気中の窒素が優先的に吸着除去され、製品出口端に向かって酸素が濃縮される。濃縮した酸素は、出口弁５ａから製品ガス貯槽９に供給されて該製品ガス貯槽９を充圧するとともに、その一部が製品供給弁９ａを経て使用先に送られる。
【００１７】
一方、吸着塔Ｂでは、原料供給端から排気弁４ｂを介して塔内のガス（脱着ガス）が真空ポンプ７に吸引されて大気に放出されるとともに、製品ガスの一部が、パージガス供給弁１０及びパージガス導入弁６ｂを経て吸着塔Ｂの製品出口端から塔内に逆方向に導入される。このように、酸素に富んだガス、すなわち、窒素分が少ないガスを製品出口端から塔内に導入しつつ原料供給端から塔内のガスを放出するパージ排気を行うことにより、吸着剤に吸着されている窒素の脱着が促進され、この工程を行うことにより吸着塔Ｂ内の吸着剤の再生が完了する。
【００１８】
前記吸着塔Ａの吸着工程において、窒素の吸着前線が製品出口端に向かって進行し、製品ガス濃度が決められた値より低下し始めると、工程１から工程２に切換えられる。この工程２は、吸着塔Ａが減圧操作を行い、吸着塔Ｂが加圧操作を開始する工程である。この工程２では、吸着工程を終了して塔内に圧力を保持した吸着塔Ａの製品出口端と、再生工程を終了して低い圧力にある吸着塔Ｂの製品出口端とをパージガス導入弁６ａ，６ｂを介して連通させ、吸着塔Ａ内のガスを吸着塔Ｂ内に回収していわゆる上部均圧操作を行うとともに、吸着塔Ａの排気弁４ａから塔内のガスを系外に放出する。これにより、吸着塔Ｂは加圧され、吸着塔Ａは減圧される。このように上部均圧を行うと同時に、吸着塔Ａの原料供給端から塔内のガスを放出することにより、原料供給端側の窒素分に富むガスが、吸着塔Ａから回収側の吸着塔Ｂに流入することを防止でき、酸素の回収率や発生量が向上する。
【００１９】
なお、排気弁４ａから吸着塔Ａ内のガスを排気する際、排気の初期においては、塔内の圧力が大気圧以上であるから、そのまま真空ポンプ７に吸引させることは、真空ポンプ７に過大な負荷を与えることとなるため、弁８を開いてガスを大気へ直接放出する。この工程２において、製品ガスは製品ガス貯槽９から製品供給弁９ａを経て供給される。また、原料空気圧縮機１では、バイパス弁１ａが開いた状態となる。
【００２０】
前記上部均圧操作におけるガスの回収が所定量となると、工程２から工程３に切換えられる。この工程３では、吸着塔Ａは、排気弁４ａから真空ポンプ７を経て塔内の排気が継続され、圧力の低下とともに吸着剤に吸着されていた窒素が脱着し、吸着剤が再生される（減圧再生操作）。吸着塔Ｂにおいては、製品ガスと原料空気とによる再加圧が開始される。製品ガスは、製品ガス貯槽９からパージガス供給弁１０，パージガス導入弁６ｂを経て製品出口端から吸着塔Ｂ内へ供給され、原料空気は、原料空気圧縮機１から入口弁３ｂを経て原料供給端から吸着塔Ｂ内へ供給される。この原料空気の供給の初期において、吸着塔Ｂ内の圧力が大気圧より低い間は、原料空気圧縮機１のバイパス弁１ａが開かれ、原料空気圧縮機１の吐出圧力が吸入圧力より低くならないようにして原料空気圧縮機１を保護する。また、製品ガスは、前記同様に製品ガス貯槽９から製品供給弁９ａを経て供給される。
【００２１】
吸着塔Ｂの圧力が所定圧力に高まると、工程３から工程４に切換えられる。この工程４では、吸着塔Ａは、排気弁４ａからの真空ポンプ７による排気が継続して行われ、吸着剤の再生が進む。吸着塔Ｂは、製品出口端からの製品ガスの供給が停止し、原料空気圧縮機１で圧縮された原料空気が入口弁３ｂから吸着塔Ｂ内に供給され，吸着塔Ｂの最終的な加圧が行われる。また、製品ガスは、前記同様に製品ガス貯槽９から製品供給弁９ａを経て供給される。
【００２２】
吸着塔Ｂの圧力が吸着工程の圧力まで高まると工程４が終了し、吸着塔Ｂが吸着工程、吸着塔Ａがパージ操作となる。すなわち、前記工程１における吸着塔Ａと吸着塔Ｂとが入換った状態となり、以後、前記各工程における吸着塔Ａが吸着塔Ｂの状態、吸着塔Ｂが吸着塔Ａの状態となって工程４まで行われ、以降、吸着塔Ａ，Ｂを切換えて、工程１から工程４を繰返し行うことで、連続して製品ガスである酸素富化ガスが得られる。
【００２３】
また、前記工程２を二つの工程に分割して行うこともできる。すなわち、工程２の初期では、吸着塔Ａ及び吸着塔Ｂの製品出口端同士をパージガス導入弁６ａ，６ｂを介して連通させることによる上部均圧操作のみを行い、この上部均圧操作を行った後、吸着塔Ａの排気弁４ａを開いて塔内ガスの排気を開始する。これにより、吸着塔Ａの製品出口側に濃縮されている酸素の回収量を多くすることができ、酸素の回収率や発生量が向上する。
【００２４】
さらに、各吸着塔Ａ，Ｂに原料空気を供給する際には、塔内の窒素の吸着帯（物質移動帯、ＭＴＺ）が、吸着塔の製品出口端に向かって延びることを防止するため、原料空気の供給速度を調整することが好ましい。例えば、前記工程３が始まる段階で、加圧工程にある吸着塔Ｂは、工程２の均圧操作による加圧を行った状態にあるので、その圧力は大気圧よりも低いから、何らの制限もなく大気圧以上の原料空気を供給すると、同時に行う製品ガスによる加圧のガス量に比較して大幅に多い原料空気が流入するので、窒素の吸着帯はすぐに製品出口端に延びてしまう。また、吸着塔に成り行きで空気を供給すると、受入側の吸着塔の圧力次第で好ましくない過大な流速になることがある。窒素吸着に好ましい条件は、適切な流速で空気が流れることであり、その条件は、吸着塔の空気流入速度を調整することにより達成される。
【００２５】
空気流入速度の調整は、ＰＳＡ装置全体の制御を行う操作の制御器１４からの弁開度制御信号１４ａにより、原料空気ラインに設置した原料空気流量調整弁２の開度を調整することにより行うことができる。この開度調整は、例えば、工程の切換えを制御する制御器１４からの信号により、調整弁２に送られる制御空気圧を変えて弁開度を変えることで行える。最も流速が大きくなると思われる工程３においては、最も小さい弁開度とし、次の工程４では弁開度を大きくする。また、特に流れを制御する必要のない工程１においては調整弁２は全開とする。この空気流入速度の調整の方法は、調整弁による方法以外、原料空気圧縮機１の回転数を制御する方法等によっても行うことができる。このように空気流入速度を制御することにより、分離性能の向上とともに、吸着剤の流動化を防ぎ、吸着剤の粉化を防止するという効果も得られる。
【００２６】
上述のように、真空再生を行った吸着塔の再加圧を、均圧操作によって回収されるガス、すなわち、酸素分に富むガスを用いて原料空気の流れに対して向流方向に加圧することにより、原料空気による加圧を実施する時点での塔内圧力をある程度まで上昇させておくことができるので、原料空気による加圧の際の空気の流速が過大になることを防ぐことができる。
【００２７】
また、工程２の均圧操作で酸素分に富むガスで加圧した後、工程３において、製品出口端からは製品ガスを、原料供給端からは原料空気を同時に送って加圧することにより、空気中の窒素が製品出口端に向かって前進することを防ぐことができる。さらに、工程４では、工程２及び工程３で既に塔内の圧力がかなり上昇しているため、原料空気のみを供給して最終的な加圧を行えるので、製品ガスを用いることなく、吸着工程に移行するための準備を終了することができる。
【００２８】
以上の各工程を組合わせることにより、極めて高い酸素回収率と、吸着剤当たりの高い酸素発生量を達成することができる。
【００２９】
【実施例】
図１に示す系統のＰＳＡ装置を使用して、▲１▼図２に示す工程１〜４を行った場合（第１の構成に相当）、▲２▼工程２を分割した場合（第２の構成に相当）、▲３▼工程２を分割するとともに原料空気の流入速度を調整した場合（第２の構成に相当）の３通りの実験を行った。主な操作条件は、次の通りである。
吸着圧力        ８００Ｔｏｒｒ
再生圧力        ２００Ｔｏｒｒ
原料空気温度    ２５℃
サイクルタイム  ６０秒
窒素吸着剤      Ｃａ−Ａ型ゼオライト
【００３０】
その結果、▲１▼では酸素回収率が４３％、吸着剤１トン当たりの酸素発生量が２４Ｎｍ３／ｈであった。▲２▼では酸素回収率が４５％、吸着剤１トン当たりの酸素発生量が２５Ｎｍ３／ｈに向上し、▲３▼では酸素回収率が４６％、吸着剤１トン当たりの酸素発生量が２７Ｎｍ３／ｈに更に向上した。なお、酸素発生量は２塔合計の吸着剤を基準にした値である。
【００３１】
【発明の効果】
以上説明したように、本発明のガス分離方法によれば、製品回収率、吸着剤当たりの製品発生量を共に向上させることができる。これに加えて、吸着剤の流動による粉化も防止することができる。
【図面の簡単な説明】
【図１】  ＰＳＡ装置の一例を示す系統図である。
【図２】  各工程におけるガスの流れを説明する概念図である。
【符号の説明】
Ａ，Ｂ…吸着塔、１…原料空気圧縮機、１ａ…バイパス弁、２…原料空気流量調整弁、３ａ，３ｂ…入口弁、４ａ，４ｂ…排気弁、５ａ，５ｂ…出口弁、６ａ，６ｂ…パージガス導入弁、７…真空ポンプ、８…放出弁、９…製品ガス貯槽、９ａ…製品供給弁、１０…パージガス供給弁、１１…パージガス流量調整弁、１２…流量計、１３…パージライン、１４…制御器、１４ａ…弁開度制御信号
【図１】
0003889125.tif 000002
【図２】
0003889125.tif 000003